(57)【要約】【課題】座席の組立て性を向上し、かつ、座席の座り心地を損ねずに、発熱線の断線を防止した暖房装置付き座席を提供する。【解決手段】座席２１に配設される面状発熱体３０の発熱線３２を、金属繊維強化作用を利用した合金線とすることで、発熱線３２の耐屈曲性および引っ張り強度を向上できる。吊り溝２３と固定部材２８の間に、面状発熱体３０の連結部３５を介在させることで、面状発熱体３０と吊り帯２６の位置決めを考慮する必要がなく、かつ面状発熱体３０に吊り帯２６を貫通させた状態で吊りワイヤ２９を挿通しないので、容易に座席の組立てができる。発熱線３２を複数の採暖部３３、３４と連結部３５に連続して配設することで、座席の座り心地の低下を防止するとともに、接続箇所を少なくして信頼性を高くできる。【選択図】  図１
2004350827.tif 000002
【特許請求の範囲】
【請求項１】
シートパッドの表面に吊り溝と、前記吊り溝内にシートパッドと一体化した係止部材とを有し、前記吊り溝に対応する表皮の裏側に固定部材を設け、前記固定部材をシートパッドの吊り溝に挿入し、少なくともその一部を前記シートパッドの係止部材に係止して、座席の吊り込み部を形成するとともに、前記シートパッドと表皮との間に面状発熱体を介在させてなるものにおいて、前記面状発熱体は、支持体と支持体に配設された発熱線を有し、かつ前記座席の吊り込み部によって分割される複数の採暖部と前記複数の採暖部を連結する連結部とで構成され、前記面状発熱体の発熱線は金属繊維強化作用を利用した合金線とし、前記発熱線を複数の採暖部と連結部において連続して配設し、前記シートパッドの吊り溝と前記表皮の固定部材の間に、前記面状発熱体の連結部を介在させたことを特徴とする暖房装置付き座席。
【請求項２】
面状発熱体の発熱線は、複数の素線で構成されてなる請求項１記載の暖房装置付き座席。
【請求項３】
面状発熱体の発熱線は、複数の素線の撚り線からなる請求項２記載の暖房装置付き座席。
【請求項４】
面状発熱体の発熱線は、複数の素線の編組線からなる請求項２記載の暖房装置付き座席。
【請求項５】
面状発熱体の発熱線は、表面に被覆を有してなる請求項１記載の暖房装置付き座席。
【請求項６】
面状発熱体は連結部の発熱線の長さを、吊り溝の縦断面した内面の長さよりも長くしてなる請求項１記載の暖房装置付き座席。
【請求項７】
面状発熱体の発熱線は、縫製により支持体に固定されてなる請求項１記載の暖房装置付き座席。
【請求項８】
面状発熱体の連結部に補強部材を設けてなる請求項１記載の暖房装置付き座席。
【発明の詳細な説明】
【０００１】
【発明の属する技術分野】
本発明は航空機、自動車、電車などに用いられる暖房装置付き座席に関するものである。
【０００２】
【従来の技術】
従来の暖房装置付き座席は、図６に示すように、座席１の座部１ａと背もたれ部１ｂにそれぞれ面状発熱体２を配設している。そして、暖房装置付き座席に組込まれる面状発熱体２は、図７および図８に示すように、複数の繊維性布体を貼り合わせてなる支持体３の層間に発熱線４が配設されており、かつ、支持体３の略中央部に貫通孔５を有し、この貫通孔５に座席１の表皮６に縫い付けた吊り帯７を、支持体３を折り曲げない状態で貫通させ、その吊り帯７の突出部分７ａに挿通した吊りワイヤ８と、座席１のシートパッド９に装着した係止ワイヤ１０とを固定用のクリップ１１で係止することにより、面状発熱体２を座席１の表皮６とシートパッド９との間に固定している（例えば、特許文献１参照）。
【０００３】
また、図９に示すように面状発熱体１２を複数のヒータユニット１３および１４に分割して構成し、リード線１５によって複数のヒータユニット１３および１４を接続し、ヒータユニット間に吊り帯を位置させたものもある（例えば、特許文献２参照）。
【０００４】
しかしながら、前記従来の構成では、面状発熱体２の貫通孔５に座席１の表皮６に縫い付けた吊り帯７を、支持体３を折り曲げない状態で貫通させているため、面状発熱体２と吊り帯７の位置決めが難しく、かつ、面状発熱体２の貫通孔５に吊り帯７を貫通させた状態で、吊り帯７の突出部分７ａに吊りワイヤ８を挿通しなければならないため、容易に座席１の組立てができないという問題や、吊り帯７を面状発熱体２の貫通孔５に貫通させた後に、支持体３が折れ曲がり、発熱線４が断線するという問題を有していた。
【０００５】
また、図９のように面状発熱体１２を複数のヒータユニット１３および１４に分割し、リード線１５によって複数のヒータユニット１３および１４を接続し、ヒータユニット間に吊り帯を位置させたものは、ヒータユニット１３、１４とリード線１５の接続部およびリード線１５が凸部となるため、座席１の座り心地を損ねるとともに、接続箇所が増えるため信頼性が低下するという問題を有していた。
【０００６】
【特許文献１】
実公昭６３−１８１５２号公報（第２−３頁、第１図、第４図および第５図）
【特許文献２】
特公平６−４０８４８号公報（第２頁、第１図および第３図）
【０００７】
【発明が解決しようとする課題】
前記従来の技術の問題点に鑑み、本発明が解決しようとする課題は、座席の組立て性を向上し、かつ、座席の座り心地を損ねずに、そして発熱線の断線を防止した暖房装置付き座席を提供することにある。
【０００８】
【課題を解決するための手段】
前記課題を解決するために、本発明の暖房装置付き座席は、シートパッドと表皮の間に介在させる面状発熱体を、支持体と支持体に配設された発熱線を有し、かつ座席の吊り込み部によって分割される複数の採暖部と複数の採暖部を連結する連結部とで構成し、面状発熱体の発熱線は金属繊維強化作用を利用した合金線とし、発熱線を複数の採暖部と連結部において連続して配設し、シートパッドの吊り溝と表皮の固定部材の間に、面状発熱体の連結部を介在させたものである。
【０００９】
前記手段によれば、面状発熱体の発熱線を、金属繊維強化作用を利用した合金線とすることによって、発熱線の耐屈曲性および引っ張り強度を向上できるようになり、支持体が折れ曲がっても、発熱線が断線しなくなり、耐久性が向上できるようになる。
【００１０】
また、シートパッドの吊り溝と表皮の固定部材の間に、面状発熱体の連結部を介在させることによって、面状発熱体の貫通孔と表皮の吊り帯の位置決めを考慮する必要がなく、かつ面状発熱体の貫通孔に表皮の吊り帯を貫通させた状態で、吊り帯の突出部分に吊りワイヤを挿通しないので、容易に座席の組立てができるようになる。
【００１１】
さらに、面状発熱体の発熱線を複数の採暖部と連結部において連続して配設することによって、リード線の接続部およびリード線による座席の座り心地の低下を防止するとともに、接続箇所が少ないので信頼性を高くすることができるようになる。
【００１２】
【発明の実施の形態】
前記した本発明の課題は、各請求項に記載した構成を実施の形態とすることにより達成できるので、以下には各請求項の構成にその構成による作用効果を併記し併せて請求項記載のうち説明を必要とする特定用語については詳細な説明を加えて、本発明における実施の形態の説明とする。
【００１３】
本発明の請求項１記載に係る発明は、シートパッドの表面に吊り溝と、前記吊り溝内にシートパッドと一体化した係止部材とを有し、前記吊り溝に対応する表皮の裏側に固定部材を設け、前記固定部材をシートパッドの吊り溝に挿入し、少なくともその一部を前記シートパッドの係止部材に係止して、座席の吊り込み部を形成するとともに、前記シートパッドと表皮との間に面状発熱体を介在させてなる暖房装置付き座席において、前記面状発熱体は、支持体と支持体に配設された発熱線を有し、かつ前記座席の吊り込み部によって分割される複数の採暖部と前記複数の採暖部を連結する連結部とで構成され、前記面状発熱体の発熱線は金属繊維強化作用を利用した合金線とし、前記発熱線を複数の採暖部と連結部において連続して配設し、前記シートパッドの吊り溝と前記表皮の固定部材の間に、前記面状発熱体の連結部を介在させたものである。
【００１４】
前記実施の形態によれば面状発熱体の発熱線は、金属繊維強化作用を利用した合金線とすることにより、発熱線の耐屈曲性および引っ張り強度を向上できるようになり、支持体が折れ曲がっても、発熱線が断線しなくなり、耐久性を向上できる。
【００１５】
また、シートパッドの吊り溝と表皮の固定部材の間に、面状発熱体の連結部を介在させることで、面状発熱体の貫通孔と表皮の吊り帯の位置決めを考慮する必要がなく、かつ、面状発熱体の貫通孔に表皮の吊り帯を貫通させた状態で、吊り帯の突出部分に吊りワイヤを挿通しないので、容易に座席の組立てができる。
【００１６】
さらに、面状発熱体の発熱線を複数の採暖部と連結部において連続して配設することで、リード線の接続部およびリード線による座席の座り心地の低下を防止するとともに、接続箇所を少なくし信頼性を高くすることができる。
【００１７】
請求項２記載に係る発明は、請求項１記載の面状発熱体の発熱線を複数の素線で構成することにより、着座によって面状発熱体に曲げ荷重が生じた場合に、複数の素線が広がることにより、面状発熱体の発熱線に作用する曲げ応力を緩和することができ、耐久性を向上することができる。
【００１８】
請求項３記載に係る発明は、請求項２記載の面状発熱体の発熱線を複数の素線の撚り線で構成することにより、発熱線の耐屈曲性を向上でき、耐久性を向上することができる。
【００１９】
請求項４記載に係る発明は、請求項２記載の面状発熱体の発熱線を複数の素線の編組線で構成することにより、発熱線の耐屈曲性を向上でき、耐久性を向上することができる。
【００２０】
請求項５記載に係る発明は、請求項１記載の面状発熱体における発熱線の表面に被覆を有することにより、発熱線の耐磨耗性を向上することができ、耐久性を向上することができる。
【００２１】
請求項６記載に係る発明は、請求項１記載の面状発熱体における連結部の発熱線の長さを、吊り溝の縦断面した内面に沿った長さよりも長くすることにより、着座によって面状発熱体に引っ張り荷重が作用した場合に、面状発熱体の支持体の変形にともなって、発熱線の配線形状が変形することが可能となり、面状発熱体の発熱線に作用する引っ張り荷重を緩和することができ、耐久性を向上することができる。
【００２２】
請求項７記載に係る発明は、請求項１記載の面状発熱体の発熱線を縫製により支持体に固定することにより、着座によって面状発熱体に引っ張り荷重が作用した場合に、面状発熱体の支持体の変形にともなって、発熱線の配線形状が変形することが容易となり、面状発熱体の発熱線に作用する引っ張り荷重をさらに緩和することができ、さらに耐久性を向上することができる。
【００２３】
請求項８記載に係る発明は、請求項１記載の面状発熱体の連結部に補強部材を設けたことにより、着座によって面状発熱体に引っ張り荷重や、曲げ荷重が生じた場合に、面状発熱体の発熱線に作用する曲げ荷重や、引っ張り荷重を緩和することができ、耐久性を向上することができる。
【００２４】
【実施例】
以下本発明の実施例について、図面を参照しながら説明する。
【００２５】
（実施例１）
図１は本発明の実施例１における暖房装置付き座席において、面状発熱体の連結部分を示す図３におけるＡ−Ａ線の断面図で、図２は暖房装置付き座席のシートバッドと表皮との固定部を示す図３におけるＢ−Ｂ線の断面図で、図３は暖房装置付き座席の斜視図を示すものである。
【００２６】
本実施例の暖房装置付き座席においては、図１および図２に示すように、暖房装置付き座席２１は、シートパッド２２の表面に吊り溝２３と、吊り溝２３内にシートパッド２２と一体化した係止部材としての係止ワイヤ２４とを有し、吊り溝２３に対応する表皮２５の裏側に吊り帯２６と吊りワイヤ２７とからなる固定部材２８を設け、固定部材２８をシートパッド２２の吊り溝２３に挿入し、少なくともその一部をシートパッド２２の係止ワイヤ２４に固定用クリップ２９で係止して、座席２１の吊り込み部２１ａを形成し、結果として表皮２５の表面に線状の凹部２１ｂを構成するとともに、シートパッド２２と表皮２５との間に面状発熱体３０を介在させてなるものである。
【００２７】
そして、面状発熱体３０は、支持体３１と支持体３１に配設された発熱線３２を有し、かつ座席２１の吊り込み部２１ａによって分割される複数の採暖部３３、３４と、複数の採暖部３３、３４を連結する連結部３５で構成されており、さらに面状発熱体３０の発熱線３２を、金属繊維強化作用を利用した銅銀合金線とし、発熱線３２を複数の採暖部３３、３４と連結部３５において連続して配設し、シートパッド２２の吊り溝２３と表皮２５の固定部材２８の間において、面状発熱体３０の連結部３５を吊り溝２３の縦断面した内面に沿って介在させた構成にしている。
【００２８】
以上のように構成された暖房装置付き座席について、以下その作用を説明する。まず、面状発熱体３０の発熱線３２は金属繊維強化作用を利用した銅銀合金線にしているので、発熱線３２の耐屈曲性および引っ張り強度を向上できるようになり、支持体３１が折れ曲がっても、発熱線３２が断線しなくなり、耐久性が向上できるようになる。
【００２９】
また、シートパッド２２の吊り溝２３と表皮２５の固定部材２８の間に、面状発熱体３０の連結部３５を介在させることによって、面状発熱体３０の貫通孔３１ａと表皮２５の吊り帯２６の位置決めを考慮する必要がなく、かつ、面状発熱体３０の貫通孔３１ａに表皮２５の吊り帯２６を貫通させた状態で、吊り帯２６の突出部分に吊りワイヤ２７を挿通しないので、容易に座席の組立てができるようになる。
【００３０】
さらに、面状発熱体３０の発熱線３２を複数の採暖部３３、３４と連結部３５において連続して配設することによって、座席の座り心地の低下を防止するとともに、接続箇所が少ないので信頼性を高くすることができるようになる。
【００３１】
なお、図３においては、座席２１の吊り込み部２１ａを、座席２１の略中央部の幅方向に直線状に配置しているが、座席２１の吊り込み部２１ａの位置および形状を限定するものではなく、例えば、座席２１の前側の幅方向に曲線状に配置するもの、座席２１の略中央の長さ方向に直線状に配置するもの等でも良い。
【００３２】
また、発熱線３２は金属繊維強化作用を利用した銅銀合金線としているが、合金線の材質を限定するものではなく、金属繊維強化作用を利用した合金線であれば良い。
【００３３】
また、本実施例の暖房装置付き座席２１の面状発熱体３０を構成する発熱線３２は、複数の素線で構成することにより、着座によって面状発熱体３０に曲げ荷重が生じた場合に、複数の素線が広がることにより、面状発熱体の発熱線に作用する曲げ応力を緩和することができ、耐久性を向上することができる。
【００３４】
また、本実施例の暖房装置付き座席２１の面状発熱体３０を構成する発熱線３２は、複数の素線の撚り線で構成することにより、発熱線の耐屈曲性を向上でき、耐久性を向上することができる。
【００３５】
また、本実施例の暖房装置付き座席２１の面状発熱体３０を構成する発熱線３２は、複数の素線の編組線で構成することにより、発熱線の耐屈曲性を向上でき、耐久性を向上することができる。
【００３６】
また、本実施例の暖房装置付き座席２１の面状発熱体３０を構成する発熱線３２は、その表面に被覆を施すことにより、発熱線の耐磨耗性を向上することができ、耐久性を向上することができる。
【００３７】
（実施例２）
図４は、本発明の実施例２における暖房装置付き座席に配設される面状発熱体を示す斜視図である。図４において、実施例１と異なるところは、面状発熱体３０の連結部３５に配設される発熱線３２を略Ｖ字状に配設し、面状発熱体３０の連結部３５に配設される発熱線３２の長さを、吊り溝２３の縦断面した内面に沿った長さよりも長くした点である。
【００３８】
以上のように構成された暖房装置付き座席について、以下その作用を説明する。座席２１に着座することによって面状発熱体３０に引っ張り荷重が作用した場合、面状発熱体３０の支持体３１の変形にともなって、連結部３５に略Ｖ字状に配線した発熱線３２の長さが、吊り溝２３の縦断面に沿った長さよりも長いので、容易に配線形状が変形することが可能となり、面状発熱体３０の発熱線３２に作用する引っ張り荷重を緩和することができ、耐久性を向上することができる。
【００３９】
なお、図４においては、面状発熱体３０の連結部３５に配設された発熱線３２を略Ｖ字状に配設しているが、発熱線３２の配置形状を略Ｖ字と特定するものではなく、例えば、略Ｕ字、略波型（図示せず）等、面状発熱体３０の連結部３５に配設される発熱線３２の長さが、吊り溝２３の縦断面に沿った長さよりも長ければ良い。
【００４０】
また、本実施例の暖房装置付き座席２１の面状発熱体３０を構成する発熱線３２を縫製により支持体３１に固定することにより、着座によって面状発熱体３０に引っ張り荷重が作用した場合に、面状発熱体３０の支持体３１の変形にともなって、発熱線３２の配線形状が変形することが容易になり、面状発熱体３０の発熱線３２に作用する引っ張り荷重を、さらに緩和することができ、さらに耐久性を向上することができる。
【００４１】
（実施例３）
図５は、本発明の実施例３における暖房装置付き座席を示す断面図である。図５において、実施例１および２と異なるところは、面状発熱体３０における採暖部３３と採暖部３４の連結部３５の両面に補強布からなる補強部材３６を貼り付けた点である。
【００４２】
以上のように構成された暖房装置付き座席について、以下その作用を説明する。面状発熱体３０の連結部３５に補強部材３６を貼り付けることにより、着座によって面状発熱体３０に引っ張り荷重や、曲げ荷重が生じた場合に、面状発熱体３０の発熱線３２に作用する曲げ荷重や、引っ張り荷重を緩和することができ、耐久性を向上することができる。
【００４３】
【発明の効果】
以上のように、本発明によれば、座席の組立て性を向上し、かつ、座席の座り心地を損ねずに、そして発熱線の断線を防止した暖房装置付き座席を提供することができる。
【図面の簡単な説明】
【図１】本発明の実施例１における暖房装置付き座席の面状発熱体の連結部分を示す断面図
【図２】同実施例１における暖房装置付き座席のシートパッドと表皮との固定部を示す断面図
【図３】同実施例１における暖房装置付き座席の斜視図
【図４】本発明の実施例２における暖房装置付き座席の面状発熱体を示す斜視図
【図５】本発明の実施例３における暖房装置付き座席の面状発熱体を示す斜視図
【図６】従来の暖房装置付き座席を示す斜視図
【図７】従来の暖房装置付き座席を示す断面図
【図８】従来の暖房装置付き座席の面状発熱体を示す斜視図
【図９】従来の他の暖房装置付き座席の面状発熱体を示す斜視図
【符号の説明】
２２  シートパッド
２３  吊り溝
２４  係止ワイヤ（係止部材）
２５  表皮
２８  固定部材
３０  面状発熱体
３１  支持体
３２  発熱線
３３、３４  採暖部
３５  連結部
【図１】
2004350827.tif 000003
【図２】
2004350827.tif 000004
【図３】
2004350827.tif 000005
【図４】
2004350827.tif 000006
【図５】
2004350827.tif 000007
【図６】
2004350827.tif 000008
【図７】
2004350827.tif 000009
【図８】
2004350827.tif 000010
【図９】
2004350827.tif 000011